(57)【要約】【課題】消音時間を自由に設定できるようにしてユーザの利便性を向上させたテレビジョン装置を提供する。【解決手段】リモコン２００に設けられた消音ボタンで消音操作を行うことにより、テレビジョン受像機１００のスピーカ７から出力される音声を消音するテレビジョン装置において、消音ボタンが所定時間連続して押された場合は、押した時間に応じた消音時間を設定する。また、消音ボタンが押された後に数字ボタンが押された場合は、押された数字ボタンの数字に応じた消音時間を設定する。そして、設定された消音時間が経過すると、消音を自動的に解除してスピーカ７から音声を出力する。【選択図】図１
2010200086.tif 000002
【特許請求の範囲】
【請求項１】
テレビジョン受像機とリモコンとを備え、前記リモコンに設けられた消音ボタンで消音操作を行うことにより、前記テレビジョン受像機から出力される音声を消音するテレビジョン装置において、
消音操作の操作態様に応じた消音時間を設定する設定手段と、
前記設定手段により設定された消音時間が経過するまで音声を消音する消音手段と、
前記消音時間が経過すると音声の消音を自動的に解除する解除手段と、
を備えたことを特徴とするテレビジョン装置。
【請求項２】
請求項１に記載のテレビジョン装置において、
複数種類の操作態様の中から、いずれの態様の消音操作が行われたかを判別する判別手段を備え、
前記設定手段は、前記判別手段によって判別された操作態様に応じた消音時間を設定することを特徴とするテレビジョン装置。
【請求項３】
請求項１または請求項２に記載のテレビジョン装置において、
前記消音ボタンが所定時間連続して押された場合に、
前記設定手段は、前記消音ボタンが押された時間に基づいて、前記消音時間を設定することを特徴とするテレビジョン装置。
【請求項４】
請求項１ないし請求項３のいずれかに記載のテレビジョン装置において、
前記消音ボタンが押された後に前記リモコンに設けられた数字ボタンが押された場合に、
前記設定手段は、前記押された数字ボタンの数字に基づいて、前記消音時間を設定することを特徴とするテレビジョン装置。
【請求項５】
請求項１ないし請求項４のいずれかに記載のテレビジョン装置において、
前記消音ボタンが断続的に押された場合に、
前記設定手段は、前記消音ボタンが押された回数に基づいて、前記消音時間を設定することを特徴とするテレビジョン装置。
【請求項６】
請求項１ないし請求項５のいずれかに記載のテレビジョン装置において、
消音操作の操作態様に応じて前記消音時間を算出する算出手段を備え、
前記算出手段により算出された消音時間を、前記テレビジョン受像機の画面に表示することを特徴とするテレビジョン装置。
【発明の詳細な説明】
【技術分野】
【０００１】
本発明は、テレビジョン受像機とリモコンとを備えたテレビジョン装置に関し、特に、音声の消音機能に関するものである。
【背景技術】
【０００２】
テレビジョン受像機（以下、「テレビ本体」という）には、リモコンでの消音操作により音声が出力されないようにする消音機能が備わっている。具体的には、リモコンに設けられている消音ボタンを押すことにより、テレビ本体において音声信号に対するミュート処理が行われ、スピーカからの音声出力が停止される。また、消音ボタンを再度押すと、消音状態が解除されてスピーカから音声が出力される。
【０００３】
下記の先行技術文献には、消音機能を備えたテレビジョン装置が記載されている。特許文献１では、消音ボタンを操作するたびに、音量状態が、通常状態→消音状態→最低音量状態→通常状態の順に変化するようになっている。特許文献２では、リモコンのテンキーのそれぞれに音量設定レベルが割り当てられており、音量キーを押した後にテンキーが押されると、押されたテンキーに対応した音量が設定され、消音が割り当てられたテンキーが押されると、音声出力が停止するようになっている。特許文献３では、消音ボタンの操作により消音状態へ移行し、再度の消音ボタンの操作または一定時間の経過により消音状態を解除し、解除後は段階的に音量を増大させて元の音量へ復帰するようにしている。
【先行技術文献】
【特許文献】
【０００４】
【特許文献１】特開２００８−１７２５２８号公報
【特許文献２】特開２００３−１８９１１９号公報
【特許文献３】特開２００６−６７４９０号公報
【発明の概要】
【発明が解決しようとする課題】
【０００５】
リモコンの消音ボタンを１回押すことにより消音状態へ移行し、消音ボタンを再度押すことにより消音状態を解除する従来のテレビジョン装置においては、消音状態を解除するために、消音ボタンを再度操作しなければならない。このため、例えば電話や来客があったような場合に、消音ボタンを押して消音状態とした後、通話や応対が長引いたために消音ボタンを押したことを忘れていると、テレビ本体が消音状態となったまま放置されることになる。特許文献１、２のテレビジョン装置では、このような問題に対処することはできない。
【０００６】
そこで、特許文献３のように、消音ボタンを押してから一定時間が経過した時点で消音状態を解除するようにすれば、消音ボタンを再度操作しなくても、自動的に消音状態が解除されて音声が出力されるので、上記のような不具合を回避することができる。しかしながら、特許文献３では、消音時間（消音状態が維持されている時間）が固定であるため、ユーザの事情に応じて柔軟に対応できないという問題がある。例えば、消音時間が６０秒に設定されている場合、３０秒で消音を解除したいときは、消音から３０秒経過した時点で、消音ボタンを再度押す必要がある。また、１２０秒で消音を解除したいときは、消音から６０秒経過した時点で消音ボタンを再度押し、さらに、それから６０秒経過した時点で、消音ボタンをもう１回押す必要がある。すなわち、あらかじめ設定された消音時間以外の時間において消音を解除するには、従来と同様に消音ボタンの再操作が必要となる。
【０００７】
本発明は、上記問題点に鑑み、消音時間を自由に設定できるようにしてユーザの利便性を向上させたテレビジョン装置を提供することを目的としている。
【課題を解決するための手段】
【０００８】
本発明に係るテレビジョン装置は、テレビジョン受像機とリモコンとを備え、リモコンに設けられた消音ボタンで消音操作を行うことにより、テレビジョン受像機から出力される音声を消音するテレビジョン装置であって、消音操作の操作態様に応じた消音時間を設定する設定手段と、この設定手段により設定された消音時間が経過するまで音声を消音する消音手段と、消音時間が経過すると音声の消音を自動的に解除する解除手段とを備えている。
【０００９】
このようにすれば、消音操作の操作態様に応じて消音時間が設定され、設定された消音時間が経過すると、自動的に消音が解除されるので、ユーザは、所定の消音操作を行うことによって、消音時間を任意に設定することができる。そして、その設定時間が経過した時点で消音が解除されるので、消音解除のために消音ボタンを再度押す必要がなくなる。
【００１０】
本発明において、消音操作の操作態様が複数ある場合は、複数種類の操作態様の中から、いずれの態様の消音操作が行われたかを判別する判別手段が設けられる。そして、設定手段は、判別手段によって判別された操作態様に応じた消音時間を設定する。
【００１１】
これによると、複数種類の操作態様の中から所望の操作態様を選択することができるので、ユーザにとって利便性がさらに向上する。
【００１２】
本発明において、消音時間を設定するための操作態様としては、例えば、消音ボタンが所定時間連続して押されたことが考えられる。この場合、設定手段は、消音ボタンが押された時間に基づいて、消音時間を設定する。
【００１３】
これによると、消音ボタンを連続して押すことにより、押した時間に応じた消音時間が設定されるので、ユーザは、消音ボタンの連続押しの時間をコントロールすることで、消音時間を任意に設定することができる。
【００１４】
本発明において、消音時間を設定するための他の操作態様としては、消音ボタンが押された後に数字ボタンが押されたことが考えられる。この場合、設定手段は、押された数字ボタンの数字に基づいて、消音時間を設定する。
【００１５】
これによると、消音ボタンに続いて数字ボタンを押すことにより、数字に応じた消音時間が設定されるので、ユーザは、数字ボタンの選択により消音時間を任意に設定することができる。
【００１６】
本発明において、消音時間を設定するためのさらに他の操作態様としては、消音ボタンが断続的に押されたことが考えられる。この場合、設定手段は、消音ボタンが押された回数に基づいて、消音時間を設定する。
【００１７】
これによると、消音ボタンを断続的に押すことにより、押し回数に応じた消音時間が設定されるので、ユーザは、消音ボタンの押し回数をコントロールすることで、消音時間を任意に設定することができる。
【００１８】
本発明の好ましい実施形態では、消音操作の操作態様に応じて消音時間を算出する算出手段が設けられ、この算出手段により算出された消音時間を、テレビジョン受像機の画面に表示する。このようにすることで、ユーザは、表示に基づいて消音時間を容易に設定することができる。
【発明の効果】
【００１９】
本発明によれば、消音操作の操作態様に応じて消音時間を自由に設定できるので、消音機能を拡張して利便性を高めたテレビジョン装置を提供することができる。
【図面の簡単な説明】
【００２０】
【図１】本発明の実施形態に係るテレビジョン装置のブロック図である。
【図２】リモコンの操作面を示す図である。
【図３】消音動作のフローチャートである。
【図４】リモコンから出力される信号のタイムチャートである。
【図５】消音時間が表示された画面の例である。
【図６】消音時間が表示された画面の他の例である。
【図７】他の実施形態による消音動作のフローチャートである。
【発明を実施するための形態】
【００２１】
以下、本発明の実施形態につき、図面を参照しながら説明する。最初に、テレビジョン装置の構成について述べる。
【００２２】
図１は、本発明の実施形態に係るテレビジョン装置のブロック図である。テレビジョン装置は、テレビジョン受像機（以下、「テレビ本体」という）１００と、リモコン２００とから構成される。ここでは、デジタル方式のテレビジョン装置を例に挙げる。
【００２３】
放送局から送信されたデジタル放送信号は、アンテナ１で受信され、チューナ２に入力される。デジタル放送信号は、映像データ、音声データ、ＥＰＧ（電子番組ガイド）データ等が多重化されたストリーム信号からなる。チューナ２は、アンテナ１が受信した放送信号から、リモコン２００で選局されたチャンネルに対応する放送信号を抽出する。抽出された放送信号は、信号処理部３に入力される。信号処理部３は、放送信号から映像ストリーム・音声ストリーム・データストリーム等を分離し、映像データと音声データに対してデコードや信号変換等の処理を行い、再生用の映像信号と音声信号を生成する。映像出力部４は、信号処理部３で生成された映像信号に対し、画像サイズ変換や画質調整等の処理を行って、当該信号をモニタ５へ出力する。モニタ５は、例えばＬＣＤ（液晶ディスプレイ）から構成され、映像出力部４から出力される映像信号に基づいて映像を表示する。音声出力部６は、信号処理部３で生成された音声信号に対し増幅等の処理を行って、当該信号をスピーカ７へ出力する。スピーカ７は、音声出力部６から出力される音声信号に基づいて音声を出力する。
【００２４】
マイクロコンピュータ（以下、「マイコン」という）８は、ＣＰＵ等から構成され、テレビ本体１００の動作を制御する。リモコン受信部９は、リモコン２００から送信されるリモコン信号を受信する。操作部１０は、テレビ本体１００に設けられたスイッチやボタンからなる。記憶部１１は、ＲＯＭやＲＡＭ等のメモリから構成される。電源部１２は、テレビ本体１００の各部に電源を供給する。インターフェース１３は、ＤＶＤレコーダやハードディスクレコーダのような外部機器を接続するためのコネクタを備えている。
【００２５】
以上において、マイコン８は、本発明における設定手段、判別手段および算出手段の一実施形態を構成する。また、マイコン８は、信号処理部３とともに、本発明における消音手段および解除手段の一実施形態を構成する。
【００２６】
図２は、リモコン２００の操作面を示した図である。電源ボタン２０１は、テレビ本体１００の電源をＯＮ／ＯＦＦするためのボタンである。「１」〜「１２」の数字が付された数字ボタン２０２は、チャンネルの選局やデータの入力を行うためのボタンである。メニューボタン２０３は、テレビ本体１００のモニタ５にメニュー画面を表示させるためのボタンである。カーソルボタン２０４は、モニタ５の画面上でカーソルを移動させて所定の項目を選択するためのボタンである。決定ボタン２０５は、カーソルボタン２０４で選択された項目を確定するためのボタンである。音量ボタン２０６は、スピーカ７から出力される音量を増減させるためのボタンである。チャンネルボタン２０７は、選局時にチャンネルを進めたり戻したりするためのボタンである。消音ボタン２０８は、スピーカ７から音声が出力されないようにするためのボタンである。機能ボタン２０９は、その他の各種機能が割り当てられたボタンである。リモコン２００には、これら以外にも各種のボタンが設けられているが、本発明には直接関係しないことから、他のボタンに関する説明は省略する。
【００２７】
次に、上述した構成からなるテレビジョン装置の消音動作について、図３のフローチャートを参照しながら説明する。本フローチャートの各ステップは、マイコン８によって実行される。ステップＳ１では、テレビ本体１００は、音声が出力された通常の動作状態にある。この状態で、消音ボタン２０８が押されたか否かをステップＳ２で判定し、消音ボタン２０８が押されてなければ（ステップＳ２：ＮＯ）、ステップＳ１へ戻って通常の動作状態を維持する。消音ボタン２０８が押されると（ステップＳ２：ＹＥＳ）、ステップ３へ進んで、消音が開始される。すなわち、マイコン８は、信号処理部３へ消音を指示する信号を送り、この信号を受けて、信号処理部３は音声信号に対しミュート処理を行う。このため、スピーカ７から音声が出力されなくなる。
【００２８】
次に、ステップＳ４、Ｓ１３において、消音操作の操作態様が判別される。まず、ステップＳ４では、消音ボタン２０８が所定時間連続して押されたか否か、すなわち、操作態様が「連続押し」であるか否かが判定される。消音ボタン２０８が一定時間以上押され続けている場合は、リモコン２００から、図４に示すようなデータ信号とリピート信号とを含むリモコン信号が送信される。データ信号は、消音を表すコードを含む信号であり、リピート信号は、消音を表すコードを含まず、データ信号の繰り返しを表す信号である。したがって、リモコン受信部９によってリピート信号が所定回数以上（例えば２回以上）受信された場合は、「連続押し」と判定され（ステップＳ４：ＹＥＳ）、ステップＳ５へ進む。
【００２９】
ステップＳ５では、上述したリピート信号の受信回数、すなわち消音ボタン２０８が押された時間に応じて、消音時間を算出する。消音時間は、例えば次のように算出される。なお、ここに示す算出方法は一例であり、これ以外の算出方法であってもよいことは言うまでもない。
リピート信号を２〜１０回受信した場合  ：  消音時間＝  ６０秒
リピート信号を１１〜２０回受信した場合：  消音時間＝１２０秒
リピート信号を２１〜３０回受信した場合：  消音時間＝１８０秒
リピート信号を３１回以上受信した場合  ：  消音時間＝２４０秒
【００３０】
上記のリピート信号受信回数と消音時間との対応関係は、あらかじめテーブル化されて、記憶部１１に記憶されている。マイコン８は、受信したリピート信号の回数に対応する消音時間をテーブルから読み出すことで、消音時間を算出する。
【００３１】
次に、ステップＳ６において、算出された消音時間をモニタ５の画面にＯＳＤ（On Screen Display）により表示する。ＯＳＤ処理回路は、映像出力部４に設けられている。図５は、消音時間を示すＯＳＤ２１が表示されたモニタ５の画面５ａの例である。図５では消音時間を数字で表示しているが、図６に示すように、バーグラフ形式のＯＳＤ２２で消音時間を表示してもよい。
【００３２】
次に、ステップＳ７において、消音ボタン２０８の連続押しが解除されたか否かを判定する。消音ボタン２０８が押されている間は（ステップＳ７：ＮＯ）、ステップＳ５、Ｓ６が繰り返し実行され、ＯＳＤ２１、２２による消音時間の表示が順次更新されてゆく。そして、消音ボタン２０８の連続押しが解除されると（ステップＳ７：ＹＥＳ）、ステップＳ８に移って、消音時間をマイコン内部のレジスタ（または記憶部１１における所定の記憶領域）に設定する。
【００３３】
次に、ステップＳ９において、マイコン８の内部に設けられたカウンタにより、消音開始（ステップＳ３）からの経過時間をカウントする。これ以降、経過時間または消音解除までの残時間を、モニタ５の画面５ａに表示するようにしてもよい。なお、経過時間は、消音時間設定（ステップＳ８）からの経過時間であってもよい。
【００３４】
次に、ステップＳ１０において、ステップＳ９でカウントした経過時間を、ステップＳ８で設定した消音時間と比較し、消音時間が経過したか否かを判定する。判定の結果、消音時間が経過してなければ（ステップＳ１０：ＮＯ）、ステップＳ９へ戻って経過時間をカウントし、消音時間が経過すれば（ステップＳ１０：ＹＥＳ）、ステップＳ１１へ進んで、モニタ５の画面５ａに表示されているＯＳＤ２１、２２（図５、図６）を消去する。なお、このときカウンタの計数値はリセットされる。そして、ステップＳ１２で消音を解除して、ステップＳ１に戻る。より詳細に述べると、ステップＳ１２では、マイコン８から信号処理部３へ消音解除を指令する信号が送られ、この信号を受けて、信号処理部３は音声信号に対するミュート処理を停止する。これにより、スピーカ７から音声が出力される。なお、ステップＳ９〜Ｓ１０で経過時間がカウントされている間に、消音ボタン２０８が押された場合は、その時点で消音が解除される。
【００３５】
以上が「連続押し」の場合の消音動作であるが、リモコン受信部９でリピート信号が所定回数以上受信されなかった場合は、ステップＳ４で「連続押し」ではないと判定され（ステップＳ４：ＮＯ）、ステップＳ１３へ移る。ステップＳ１３では、ステップＳ２で消音ボタン２０８が押された後、一定時間内に数字ボタン２０２が押されたか否か、すなわち、消音操作の態様が「単押し＋数字ボタン」であるか否かが判定される。数字ボタン２０２が押され、かつ決定ボタン２０５が押されると、「単押し＋数字ボタン」と判定され（ステップＳ１３：ＹＥＳ）、ステップＳ１４へ進む。
【００３６】
ステップＳ１４では、押された数字ボタン２０２の数字に応じて、消音時間を算出する。消音時間は、例えば次のように算出される。なお、ここに示す算出方法は一例であり、これ以外の算出方法であってもよいことは言うまでもない。
数字ボタン「１０」が押された場合                ：  消音時間＝  １０秒
数字ボタン「３」と「１０」が押された場合        ：  消音時間＝  ３０秒
数字ボタン「６」と「１０」が押された場合        ：  消音時間＝  ６０秒
数字ボタン「１」と「２」と「１０」が押された場合：  消音時間＝１２０秒
数字ボタン「２」と「４」と「１０」が押された場合：  消音時間＝２４０秒
【００３７】
これらの消音時間は、押された数字ボタン２０２の数字に基づいてマイコン８が演算を行うことにより算出される。なお、この演算に代えて、１２個の数字ボタン２０２のそれぞれに消音時間を割り当て、数字ボタンと消音時間とを対応付けたテーブルをあらかじめ用意しておき、押された数字ボタン２０２に対応する消音時間をテーブルから読み出すことで、消音時間を算出するようにしてもよい。例えば、数字ボタン「１」には１０秒、数字ボタン「３」には３０秒、数字ボタン「１２」には１２０秒が割り当てられる。
【００３８】
次に、ステップＳ１５において、ステップＳ１４で算出された消音時間を、図５や図６のように、モニタ５の画面にＯＳＤにより表示する。そして、ステップＳ１６で、この消音時間をマイコン内部のレジスタ（または記憶部１１における所定の記憶領域）に設定する。
【００３９】
次に、ステップＳ１７において、ステップＳ９と同様、マイコン８の内部に設けられたカウンタにより、消音開始（ステップＳ３）からの経過時間、または消音時間設定（ステップＳ１６）からの経過時間をカウントする。これ以降、経過時間または消音解除までの残時間を、モニタ５の画面５ａに表示するようにしてもよい。
【００４０】
次に、ステップＳ１８において、ステップＳ１７でカウントした経過時間を、ステップＳ１６で設定した消音時間と比較し、消音時間が経過したか否かを判定する。判定の結果、消音時間が経過してなければ（ステップＳ１８：ＮＯ）、ステップＳ１７へ戻って経過時間をカウントし、消音時間が経過すれば（ステップＳ１８：ＹＥＳ）、ステップＳ１９へ進んで、モニタ５の画面５ａに表示されているＯＳＤ２１、２２（図５、図６）を消去する。なお、このときカウンタの計数値はリセットされる。そして、ステップＳ１２で消音を解除して、ステップＳ１に戻る。ステップＳ１２の詳細については、前述したとおりであるので、ここでは説明を省略する。なお、ステップＳ１７〜Ｓ１８で経過時間がカウントされている間に、消音ボタン２０８が押された場合は、その時点で消音が解除される。
【００４１】
以上が「単押し＋数字ボタン」の場合の消音動作であるが、一定時間内に数字ボタン２０２が押されなかった場合は、ステップＳ１３で「単押し＋数字ボタン」ではないと判定され（ステップＳ１３：ＮＯ）、ステップＳ２０へ移る。ステップＳ２０では、消音ボタン２０８が再度押されたか否かが判定される。消音ボタン２０８が押されなければ（ステップＳ２０：ＮＯ）、ステップＳ２０を繰り返し実行する。この間は、消音状態が維持される。消音ボタン２０８が押されると（ステップＳ２０：ＹＥＳ）、ステップＳ１２へ移行して消音を解除し、ステップＳ１に戻る。ステップＳ２０において消音ボタン２０８を押すことにより消音が解除されるのは、従来と同じ機能である。すなわち、ステップＳ２で消音ボタン２０８が１回押された後、ステップＳ２０で再度消音ボタン２０８が１回押された場合は、消音時間を設定することなく直ちに消音を解除する。
【００４２】
このように、上述した実施形態によれば、消音ボタン２０８による消音操作の操作態様に応じて消音時間が設定され、設定された消音時間が経過すると、自動的に消音が解除されるので、ユーザは、所定の消音操作を行うことによって、消音時間を任意に設定することができる。そして、その設定時間が経過した時点で消音が解除されるので、消音解除のために消音ボタン２０８を再度押す必要がなくなる。また、設定時間が経過するとスピーカ７から音声が出力されるので、テレビジョン装置を報知タイマーとして利用することも可能であり、例えば、長電話に対する警告や調理時間の報知などに用いることができる。
【００４３】
また、消音ボタン２０８を連続して押すことにより、押した時間に応じた消音時間が設定されるので、ユーザは、消音ボタン２０８の連続押しの時間をコントロールすることで、消音時間を任意に設定することができる。また、消音ボタン２０８に続いて数字ボタン２０２を押すことにより、数字に応じた消音時間が設定されるので、ユーザは、数字ボタン２０２の選択によっても消音時間を任意に設定することができる。
【００４４】
このように、消音時間を設定するための操作態様として、「連続押し」と「単押し＋数字ボタン」の２種類を設け、いずれの操作によっても消音時間を自由に設定できるようにしたので、ユーザにとって利便性が向上する。
【００４５】
また、消音ボタン２０８の押し時間や数字ボタン２０２の数字に応じて算出された消音時間が、図５、図６のようにモニタ５の画面５ａに表示されるので、ユーザは、この表示に基づいて消音時間を容易に設定することができる。
【００４６】
図７は、本発明の他の実施形態による消音動作を示したフローチャートである。本フローチャートの各ステップは、マイコン８によって実行される。なお、図７において、図３と同一の処理を行うステップには、同一の符号を付してある。図７では、図３のフローチャートに更にステップＳ２１〜Ｓ２８の処理が追加されている。その他のステップについては、図３と同じであるので、説明を省略する。
【００４７】
ステップＳ２１では、消音ボタン２０８が断続的に押されたか否か、すなわち、操作態様が「断続押し」であるか否かが判定される。なお、ステップＳ２０における消音ボタン２０８の単押しと区別するため、ステップＳ２で消音ボタン２０８が押されてから一定時間内に、かつ、所定値以下の短い時間間隔で所定回数以上（例えば３回以上）、消音ボタン２０８が押された場合に、「断続押し」と判定する。「断続押し」と判定された場合は（ステップＳ２１：ＹＥＳ）、ステップＳ２２へ進む。
【００４８】
ステップＳ２２では、消音ボタン２０８が押された回数に応じて、消音時間を算出する。消音時間は、例えば次のように算出される。なお、ここに示す算出方法は一例であり、これ以外の算出方法であってもよいことは言うまでもない。
消音ボタンの押された回数が３回の場合：  消音時間＝３０秒
消音ボタンの押された回数が４回の場合：  消音時間＝４０秒
消音ボタンの押された回数が５回の場合：  消音時間＝５０秒
消音ボタンの押された回数が６回の場合：  消音時間＝６０秒
【００４９】
上記の消音ボタン押し回数と消音時間との対応関係は、あらかじめテーブル化されて、記憶部１１に記憶されている。マイコン８は、消音ボタン２０８が押された回数に対応する消音時間をテーブルから読み出すことで、消音時間を算出する。そして、算出された消音時間を、ステップＳ２３において、図５や図６のようにモニタ５の画面５ａにＯＳＤ２１、２２により表示する。
【００５０】
次に、ステップＳ２４において、消音ボタン２０８の断続押しが解除されたか否かを判定する。消音ボタン２０８が断続的に押されている間は（ステップＳ２４：ＮＯ）、ステップＳ２２、Ｓ２３が繰り返し実行され、ＯＳＤ２１、２２による消音時間の表示が順次更新されてゆく。そして、消音ボタン２０８の断続押しが解除されると（ステップＳ２４：ＹＥＳ）、ステップＳ２５に移って、消音時間をマイコン内部のレジスタ（または記憶部１１における所定の記憶領域）に設定する。
【００５１】
次に、ステップＳ２６において、ステップＳ９と同様、、マイコン８の内部に設けられたカウンタにより、消音開始（ステップＳ３）からの経過時間、または消音時間設定（ステップＳ２５）からの経過時間をカウントする。これ以降、経過時間または消音解除までの残時間を、モニタ５の画面５ａに表示するようにしてもよい。
【００５２】
次に、ステップＳ２７において、ステップＳ２６でカウントした経過時間を、ステップＳ２５で設定した消音時間と比較し、消音時間が経過したか否かを判定する。判定の結果、消音時間が経過してなければ（ステップＳ２７：ＮＯ）、ステップＳ２６へ戻って経過時間をカウントし、消音時間が経過すれば（ステップＳ２７：ＹＥＳ）、ステップＳ２８へ進んで、モニタ５の画面５ａに表示されているＯＳＤ２１、２２（図５、図６）を消去する。なお、このときカウンタの計数値はリセットされる。そして、ステップＳ１２で消音を解除して、ステップＳ１に戻る。なお、ステップＳ２６〜Ｓ２７で経過時間がカウントされている間に、消音ボタン２０８が押された場合は、その時点で消音が解除される。
【００５３】
図７の実施形態によれば、図３の場合と同様の効果が得られるほか、消音ボタン２０８を断続的に押すことにより、押し回数に応じた消音時間が設定されるので、ユーザは、消音ボタン２０８の押し回数をコントロールすることによっても消音時間を任意に設定することができ、消音機能が拡張されて利便性が更に向上する。
【００５４】
本発明では、以上述べた以外にも種々の実施形態を採用することができる。例えば、図３および図７の実施形態では、ステップＳ２で消音ボタン２０８が押された直後に、ステップＳ３で消音動作へ移行したが、ステップＳ３の処理は、ステップＳ８、Ｓ１６、Ｓ２５の次に実行するようにしてもよい。
【００５５】
また、上記実施形態では、消音ボタン２０８が押された後に、数字ボタン２０２が押される場合を例に挙げたが、消音ボタン２０８が押された後に、数字ボタン２０２以外の特定のボタンが押されることにより、押されたボタンに応じた消音時間が設定されるようにしてもよい。その他、消音時間を設定するための操作態様には、種々の例が考えられる。
【００５６】
さらに、図３の実施形態では、「連続押し」と「単押し＋数字ボタン」の２つの操作態様を採用し、図７の実施形態では、これにさらに「断続押し」を加えた３つの操作態様を採用した場合を例に挙げたが、各操作態様のうち、いずれか１つを単独で採用してもよく、任意の２つを組み合わせて採用してもよい。
【符号の説明】
【００５７】
１    アンテナ
２    チューナ
３    信号処理部
４    映像出力部
５    モニタ
５ａ  画面
６    音声出力部
７    スピーカ
８    マイクロコンピュータ
１１  記憶部
２１、２２  ＯＳＤ
１００  テレビジョン受像機
２００  リモコン
２０２  数字ボタン
２０８  消音ボタン
【図１】
2010200086.tif 000003
【図２】
2010200086.tif 000004
【図３】
2010200086.tif 000005
【図４】
2010200086.tif 000006
【図５】
2010200086.tif 000007
【図６】
2010200086.tif 000008
【図７】
2010200086.tif 000009